(57)【要約】【課題】特別なコマンドを使用することなく、送信元装置の動作状態を送信先装置に知らせることができるようにする。【解決手段】ＤＶ装置１０は、ＭＯＤＥフィールドおよびＳＴＡＴＥフィールドを有するＣＩＰヘッダを生成、検出するＤＩＦ部１０４を有する。ＭＯＤＥフィールドはＤＶ装置１０の動作モードを表す値を格納するフィールドであり、ＳＴＡＴＥフィールドはＤＶ装置１０の再生方向、再生速度などを表す値を格納するフィールドである。【選択図】      図５
2004179688.tif 000002
【特許請求の範囲】
【請求項１】
記憶媒体からデジタルビデオデータを再生するとともに、前記デジタルビデオデータを送信する再生装置であって、
当該再生装置の動作状態に関する情報と前記デジタルビデオデータとを含むパケットを生成し、生成したパケットをアイソクロナス転送する通信手段を有することを特徴とする再生装置。
【請求項２】
記憶媒体にデジタルビデオデータを記録するとともに、前記デジタルビデオデータを送信する記録装置であって、
当該記録装置の動作状態に関する情報と前記デジタルビデオデータとを含むパケットを生成し、生成したパケットをアイソクロナス転送する通信手段を有することを特徴とする記録装置。
【発明の詳細な説明】
【０００１】
【発明の属する技術分野】
本発明は、デジタルビデオデータの送信および受信可能な再生装置や記録装置に関するものである。
【０００２】
【従来の技術】
ＩＥＣ  ６１８８３−４は、ＩＥＥＥ  Ｓｔｄ  １３９４−１９９５で規定されたアイソクロナス転送を使用してＭＰＥＧ−２のＴＳ（Ｔｒａｎｓｐｏｒｔ  Ｓｔｒｅａｍ）パケットを送信するプロトコルを規定した規格である。ＩＥＣ  ６１８８３−４では、ＩＥＣ  ６１８８３−１で規定されたＣＩＰヘッダを使用してＴＳパケットを送信することが規定されている。
【０００３】
なお、ＩＥＥＥ  Ｓｔｄ  １３９４−１９９５については、非特許文献１に詳細に記載されている。ＩＥＣ  ６１８８３−１については、非特許文献２に詳細に記載されている。また、ＩＥＣ  ６１８８３−４については、非特許文献３に詳細に記載されている。
【０００４】
【非特許文献１】
「ＩＥＥＥ  Ｓｔｄ  １３９４−１９９５，  ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ，  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．」
【非特許文献２】
「ＩＥＣ  ６１８８３−１，  Ｃｏｎｓｕｍｅｒ  ａｕｄｉｏ／ｖｉｄｅｏ  ｅｑｕｉｐｍｅｎｔ  −  Ｄｉｇｉｔａｌ  ｉｎｔｅｒｆａｃｅ  −  Ｐａｒｔ  １：  Ｇｅｎｅｒａｌ」
【非特許文献３】
「ＩＥＣ  ６１８８３−４，  Ｃｏｎｓｕｍｅｒ  ａｕｄｉｏ／ｖｉｄｅｏ  ｅｑｕｉｐｍｅｎｔ  −  Ｄｉｇｉｔａｌ  ｉｎｔｅｒｆａｃｅ  −  Ｐａｒｔ  ４：  ＭＰＥＧ２−ＴＳ  ｄａｔａ  ｔｒａｎｓｍｉｓｓｉｏｎ」
【０００５】
【発明が解決しようとする課題】
しかしながら、ＩＥＣ  ６１８８３−１およびＩＥＣ  ６１８８３−４は、ＣＩＰヘッダを使用して送信元装置（記憶媒体からデジタルビデオデータを再生するとともに、再生中のデジタルビデオデータを送信する装置、記憶媒体にデジタルビデオデータを記録するとともに、記録中のデジタルビデオデータを送信する装置など）の動作状態（再生中であるか否か、記録中であるか否か、一時停止中であるか否か、再生方向、再生速度など）を送信先装置に知らせることを規定していない。
【０００６】
そのため、従来の送信元装置には、特別なコマンドを使用しなければ、送信元装置の動作状態を送信先装置に知らせることができないという問題があった。また、従来の送信先装置には、特別なコマンドを使用しなければ、送信元装置の動作状態を知ることができないという問題があった。なお、この問題は、ＭＰＥＧ−２のＴＳパケットにエンコーダされたデジタルビデオデータを送信する場合に限らず、ＣＩＰヘッダのようなデータヘッダを使用してデジタルビデオデータを送信する場合についても言える問題である。
【０００７】
本発明の目的の一つは、特別なコマンドを使用することなく、送信元装置の動作状態を送信先装置に知らせることができるようにすることである。さらには、特別なコマンドを使用することなく、送信元装置の動作状態をユーザに知らせることができるようにすることである。
【０００８】
【課題を解決するための手段】
本発明における再生装置は、記憶媒体からデジタルビデオデータを再生するとともに、前記デジタルビデオデータを送信する再生装置であって、当該再生装置の動作状態に関する情報と前記デジタルビデオデータとを含むパケットを生成し、生成したパケットをアイソクロナス転送する通信手段を有することを特徴とする。
【０００９】
本発明における記録装置は、記憶媒体にデジタルビデオデータを記録するとともに、前記デジタルビデオデータを送信する記録装置であって、当該記録装置の動作状態に関する情報と前記デジタルビデオデータとを含むパケットを生成し、生成したパケットをアイソクロナス転送する通信手段を有することを特徴とする。
【００１０】
【発明の実施の形態】
（第１の実施の形態）
以下、図１〜図５を参照し、本発明における第１の実施の形態を説明する。図１は、第１の実施の形態におけるＣＩＰ（Ｃｏｍｍｏｎ  Ｉｓｏｃｈｒｏｎｏｕｓ  Ｐａｃｋｅｔ）ヘッダの構成を示す図である。第１の実施の形態におけるＣＩＰヘッダは、図１に示すように、３つのクアドレット（１クアドレットは、４バイト）から構成される。
【００１１】
第１クアドレットは、ＩＥＣ  ６１８８３−１において規定されたＳＩＤフィールド、ＤＢＳフィールド、ＦＮフィールド、ＱＰＣフィールド、ＳＰＨフィールド、Ｒｓｖフィールド、およびＤＢＣフィールドを有する。
【００１２】
第２クアドレットは、ＩＥＣ  ６１８８３−１において規定されたＦＭＴフィールド、およびＦＤＦフィールドを有する。
【００１３】
第３クアドレットは、第１の実施の形態において独自に規定したＲｓｖフィールド、ＭＯＤＥフィールド、およびＳＴＡＴＥフィールドを有する。Ｒｓｖフィールドは将来の拡張用のフィールドであり、ＭＯＤＥフィールドは送信元装置の動作モードを表す値を格納するフィールドであり、ＳＴＡＴＥフィールドは再生中であるか否か、記録中であるか否か、一時停止中であるか否か、再生方向、再生速度などを表す値を格納するフィールドである。
【００１４】
図２は、ＭＯＤＥフィールドに格納される値の一例を示す図である。図２において、Ｃ２１６は送信元装置の動作モードが記録モード（ＲＥＣＯＲＤ  ＭＯＤＥ）であることを表す値であり、Ｃ３１６は送信元装置の動作モードが再生モード（ＰＬＡＹ  ＭＯＤＥ）であることを表す値である。
【００１５】
図３は、送信元装置の動作モードが記録モードであるときにＳＴＡＴＥフィールドに格納される値の一例を示す図である。図３において、７５１６（ＲＥＣＯＲＤ）は、送信元装置が記録をしている状態であることを表す値であり、７Ｄ１６（ＲＥＣＯＲＤ  ＰＡＵＳＥ）は、送信元装置が記録を一時停止している状態であることを表す値である。
【００１６】
図４は、送信元装置の動作モードが再生モードであるときにＳＴＡＴＥフィールドに格納される値の一例を示す図である。図４において、３１１６（ＳＬＯＷＥＳＴ  ＦＯＲＷＡＲＤ）は再生方向が正方向であり、再生速度が最も遅い速度であることを表す値であり、３Ｆ１６（ＦＡＳＴＥＳＴ  ＦＯＲＷＡＲＤ）は再生方向が正方向であり、再生速度が最も速い速度であることを表す値であり、４１１６（ＳＬＯＷＥＳＴ  ＲＥＶＥＲＳＥ）は再生方向が逆方向であり、再生速度が最も遅い速度であることを表す値であり、４Ｆ１６（ＦＡＳＴＥＳＴ  ＲＥＶＥＲＳＥ）は再生方向が逆方向であり、再生速度が最も速い速度であることを表す値である。
【００１７】
また、３８１６（Ｘ１）および７５１６（ＦＯＲＷＡＲＤ）は再生方向が正方向であり、再生速度が通常の速度であることを表す値であり、４８１６（Ｘ１  ＲＥＶＥＲＳＥ）および６５１６（ＲＥＶＥＲＳＥ）は再生方向が逆方向であり、再生速度が通常の速度であることを表す値である。また、６Ｄ１６（ＲＥＶＥＲＳＥ  ＰＡＵＳＥ）は再生方向が逆方向であり、再生速度が０（一時停止）であることを表す値であり、７Ｄ１６（ＦＯＲＷＡＲＤ  ＰＡＵＳＥ）は再生方向が正方向であり、再生速度が０（一時停止）であることを表す値である。
【００１８】
図５は、第１の実施の形態におけるＤＶ（デジタルビデオ）装置１０の構成要素を示す図である。第１の実施の形態におけるＤＶ装置１０は、記憶媒体１０１からデジタルビデオデータを再生するとともに、再生中のデジタルビデオデータを送信する装置であり、且つ、記憶媒体１０１にデジタルビデオデータを記録するとともに、記録中のデジタルビデオデータを送信する装置である。
【００１９】
記憶媒体１０１は、磁気テープ、光磁気ディスクなどの着脱可能な記憶媒体である。記憶媒体１０１には、ＭＰＥＧ−２で規定されたＰＥＳ（Ｐａｃｋｅｔｉｚｅｄ  Ｅｌｅｍｅｎｔａｒｙ  Ｓｔｒｅａｍ）パケットにエンコードされたデジタルビデオデータが記録されている。
【００２０】
再生部１０２は、記憶媒体１０１からＰＥＳパケットを再生する。特殊な速度で再生を行うとＰＥＳパケットが正常に再生されない場合がある（例えば、記憶媒体１０１が磁気テープである場合）。そこで、第１の実施の形態では、特殊な速度で再生を行う場合、再生部１０２はＰＥＳ／ＴＳ変換部１０３にＰＥＳパケットを供給しないようにし、ＰＥＳ／ＴＳ変換部１０３もＤＩＦ部１０４にＴＳパケットを供給しないようにする。
【００２１】
ＰＥＳ／ＴＳ変換部１０３は、再生部１０２またはエンコーダ部１１２から得られたＰＥＳパケットをＭＰＥＧ−２で規定されたＴＳ（Ｔｒａｎｓｐｏｒｔ  Ｓｔｒｅａｍ）パケットに変換する。
【００２２】
ＤＩＦ（デジタルインターフェース）部１０４は、ＩＥＥＥ  ｓｔｄ  １３９４−１９９５およびその関連規格に準拠するものであり、図１に示すＣＩＰヘッダの生成、取り出しが可能なものある。
【００２３】
ＤＩＦ部１０４は、ＰＥＳ／ＴＳ変換部１０３から得られた１つのＴＳパケットから１つのソースパケットを生成する処理と、Ｎ個（Ｎは１／８、１／４、１／２または１以上の整数である）のソースパケットごとに１つのＣＩＰヘッダを生成する処理と、Ｎ個のソースパケットと１つのＣＩＰヘッダから１つのアイソクロナスパケットを生成する処理と、各アイソクロナスパケットをアイソクロナスサイクル（ｉｓｏｃｈｒｏｎｏｕｓ  ｃｙｃｌｅ：１２５μ秒）ごとに送信する処理とを行う。
【００２４】
特殊な速度で再生を行う場合、再生部１０２はＰＥＳ／ＴＳ変換部１０３にＰＥＳパケットを供給しないようにし、ＰＥＳ／ＴＳ変換部１０３もＤＩＦ部１０４にＴＳパケットを供給しないようにするので、ＤＩＦ部１０４は１つのＣＩＰヘッダを含むが、Ｎ個のソースパケットを含まないアイソクロナスパケットを生成する処理を行う。第１の実施の形態では、１つのＣＩＰヘッダを含むが、Ｎ個のソースパケットを含まないアイソクロナスパケットを「ヌルパケット（ｎｕｌｌ  ｐａｃｋｅｔ）」と呼ぶ。
【００２５】
例えば、１．０倍の速度（通常の速度）で正方向に再生する場合（ＦＯＲＷＡＲＤの場合）、ＤＩＦ部１０４は、ＭＯＤＥフィールドにＣ３１６（動作モードが再生モードであることを表す値）を格納し、ＳＴＡＴＥフィールドに７５１６（再生方向が正方向であり、再生速度が通常の速度であることを表す値）を格納したＣＩＰヘッダを生成する。そして、ＤＩＦ部１０４は、１つのＣＩＰヘッダとＮ個のソースパケットとを含むアイソクロナスパケットを生成し、生成したアイソクロナスパケットを送信する。
【００２６】
また例えば、最大の速度（特別な速度）で逆方向に再生する場合（ＦＡＳＴＥＳＴ  ＲＥＶＥＲＳＥの場合）、ＤＩＦ部１０４は、ＭＯＤＥフィールドにＣ３１６（動作モードが再生モードであることを表す値）を格納し、ＳＴＡＴＥフィールドに４Ｆ１６（再生方向が逆方向であり、再生速度が最大の速度であることを表す値）を格納したＣＩＰヘッダＡを生成する。そして、ＤＩＦ部１０４は、１つのＣＩＰヘッダを含むヌルパケットを生成し、生成したヌルパケットを送信する。
【００２７】
また、ＤＩＦ部１０４は、送信元装置から送信された１つのアイソクロナスパケットからＮ個（Ｎは１／８、１／４、１／２または１以上の整数である）のソースパケットと１つのＣＩＰヘッダを取り出す処理と、取り出したＣＩＰヘッダの第３クアドレッドをメッセージ生成部１０７に供給する処理と、取り出したソースパケットからＴＳパケットを取り出す処理とを行う。
【００２８】
送信元装置が特殊な速度で再生を行っている場合、送信元装置からはヌルパケットが送信される。この場合、ＤＩＦ部１０４は、受信したヌルパケットから１つのＣＩＰヘッダを取り出す処理と、取り出したＣＩＰヘッダの第３クアドレッドをメッセージ生成部１０７に供給する処理とを行う。
【００２９】
ＴＳ／ＰＥＳ変換部１０５は、ＤＩＦ部１０４から得られたＴＳパケットをＰＥＳパケットに変換する。
【００３０】
記録部１０６は、ＴＳ／ＰＥＳ変換部１０５から得られたＰＥＳパケットを記憶媒体１０１に記録する。
【００３１】
メッセージ生成部１０７は、ＤＩＦ部１０４から得られた第３クアドレットを解析して送信元装置の動作状態（再生中であるか否か、記録中であるか否か、一時停止中であるか否か、再生方向、再生速度など）を検出し、送信元装置の動作状態を表すメッセージ（以下、ステータスメッセージ）を生成する。
【００３２】
デコーダ部１０８は、再生部１０２またはＴＳ／ＰＥＳ変換部１０５から得られたＰＥＳパケットをデコードし、デコードしたＰＥＳパケットからデジタルビデオデータを生成する。
【００３３】
合成部１０９は、デコーダ部１０８から得られたデジタルビデオデータにメッセージ生成部１０７から得られたステータスメッセージを所定の位置に表示されるように合成する。ＤＩＦ部１０４がヌルパケットを受信した場合は、合成部１０９は、ブルーバック画像（またはヌルパケットを受信する前にデコードされた画像）にメッセージ生成部１０７から得られたステータスメッセージを所定の位置に表示されるように合成する。これにより、ユーザは、送信元装置の動作状態を知ることができるようになる。
【００３４】
ビデオ出力部１１０は、合成部１０９から得られたデジタルビデオデータをビデオ信号に変換し、そのビデオ信号を出力する。その結果、ビデオ出力部１１０から出力されたビデオ信号は、表示装置１２０に表示される。
【００３５】
ビデオ入力部１１１は、ビデオ装置１３０から出力されたビデオ信号をデジタルビデオデータに変換する。
【００３６】
エンコーダ部１１２は、ビデオ入力部１１１から得られたデジタルビデオデータをエンコードし、エンコードしたデジタルビデオデータからＰＥＳパケットを生成する。
【００３７】
このように、第１の実施の形態におけるＤＶ装置１０によれば、送信先装置に図１に示すＣＩＰヘッダを送信することができるので、特別なコマンドを使用することなく、ＤＶ装置１０の動作状態（再生中であるか否か、記録中であるか否か、一時停止中であるか否か、再生方向、再生速度など）を送信先装置に知らせることができる。
【００３８】
また、第１の実施の形態におけるＤＶ装置１０によれば、送信元装置から送信されたアイソクロナスパケット（ヌルパケットを含む）から図１に示すＣＩＰヘッダを検出できれば、特別なコマンドを使用することなく、送信元装置の動作状態（再生中であるか否か、記録中であるか否か、一時停止中であるか否か、再生方向、再生速度など）を知ることができ、送信元装置の動作状態をユーザに知らせることができる。特に、ヌルパケットを受信した場合は、ブルーバック画像（またはヌルパケットを受信する前にデコードされた画像）とともに、送信元装置の動作状態を表示することができるので、送信元装置の動作状態をユーザに知らせることができる。
【００３９】
（第２の実施の形態）
以下、図６〜図９を参照し、本発明における第２の実施の形態を説明する。図６は、第２の実施の形態におけるＣＩＰ（Ｃｏｍｍｏｎ  Ｉｓｏｃｈｒｏｎｏｕｓ  Ｐａｃｋｅｔ）ヘッダの構成を示す図である。第２の実施の形態におけるＣＩＰヘッダは、図６に示すように、３つのクアドレット（１クアドレットは、４バイト）から構成される。
【００４０】
第１クアドレットは、ＩＥＣ  ６１８８３−１が規定するＳＩＤフィールド、ＤＢＳフィールド、ＦＮフィールド、ＱＰＣフィールド、ＳＰＨフィールド、Ｒｓｖフィールド、およびＤＢＣフィールドを有する。
【００４１】
第２クアドレットは、ＩＥＣ  ６１８８３−１が規定するＦＭＴフィールド、およびＦＤＦフィールドを有する。
【００４２】
第３クアドレットは、第２の実施の形態において独自に規定したＰＢフィールド、ＤＩＲフィールド、ＳＰＥＥＤ＿Ｉフィールド、およびＳＰＥＥＤ＿Ｄフィールドを有する。ＰＢフィールドは、送信元装置の動作モードを表す値を格納するフィールドである。ＤＩＲフィールドは、再生方向を表す値を格納するフィールドである。ＳＰＥＥＤ＿Ｉフィールドは、再生速度の整数部（Ｉｎｔｅｇｅｒ  Ｐａｒｔ）を表す値を格納するフィールドである。ＳＰＥＥＤ＿Ｄフィールドは、再生速度の小数部（Ｄｅｃｉｍａｌ  Ｐａｒｔ）を表す値を格納するフィールドである。一時停止の場合、ＳＰＥＥＤ＿ＩフィールドおよびＳＰＥＥＤ＿Ｄフィールドは全て０である。なお、第２の実施の形態では、ＳＰＥＥＤ＿ＩフィールドおよびＳＰＥＥＤ＿Ｄフィールドに格納される値をＢＣＤ（Ｂｉｎａｒｙ  Ｃｏｄｅｄ  Ｄｅｃｉｍａｌ）で表すものとする。
【００４３】
図７は、ＰＢフィールドに格納される値の一例を示す図である。図７において、０は動作モードが再生モード（ＰＬＡＹ  ＭＯＤＥ）であることを表す値であり、１は動作モードが記録モード（ＲＥＣＯＲＤ  ＭＯＤＥ）であることを表す値である。
【００４４】
図８は、ＤＩＲフィールドに格納される値の一例を示す図である。図８において、０は再生方向が正方向であることを表す値であり、１は再生方向が逆方向であることを表す値である。
【００４５】
図９は、第２の実施の形態におけるＤＶ（デジタルビデオ）装置９０の構成要素を示す図である。第２の実施の形態におけるＤＶ装置９０は、記憶媒体１０１からデジタルビデオデータを再生するとともに、再生中のデジタルビデオデータを送信する装置であり、且つ、記憶媒体１０１にデジタルビデオデータを記録するとともに、記録中のデジタルビデオデータを送信する装置である。
【００４６】
記憶媒体９０１は、磁気テープ、光磁気ディスクなどの着脱可能な記憶媒体である。記憶媒体９０１には、ＭＰＥＧ−２で規定されたＰＥＳ（Ｐａｃｋｅｔｉｚｅｄ  Ｅｌｅｍｅｎｔａｒｙ  Ｓｔｒｅａｍ）パケットにエンコードされたデジタルビデオデータが記録されている。
【００４７】
再生部９０２は、記憶媒体９０１からＰＥＳパケットを再生する。特殊な速度で再生を行うとＰＥＳパケットが正常に再生されない場合がある（例えば、記憶媒体９０１が磁気テープである場合）。そこで、第２の実施の形態では、特殊な速度で再生を行う場合、再生部９０２はＰＥＳ／ＴＳ変換部９０３にＰＥＳパケットを供給しないようにし、ＰＥＳ／ＴＳ変換部９０３もＤＩＦ部９０４にＴＳパケットを供給しないようにする。
【００４８】
ＰＥＳ／ＴＳ変換部９０３は、再生部９０２またはエンコーダ部９１２から得られたＰＥＳパケットをＭＰＥＧ−２で規定されたＴＳ（Ｔｒａｎｓｐｏｒｔ  Ｓｔｒｅａｍ）パケットに変換する。
【００４９】
ＤＩＦ（デジタルインターフェース）部９０４は、ＩＥＥＥ  ｓｔｄ  １３９４−１９９５およびその関連規格に準拠するものであり、図６に示すＣＩＰヘッダの生成、取り出しが可能なものある。
【００５０】
ＤＩＦ部９０４は、ＰＥＳ／ＴＳ変換部９０３から得られた１つのＴＳパケットから１つのソースパケットを生成する処理と、Ｎ個（Ｎは１／８、１／４、１／２または１以上の整数である）のソースパケットごとに１つのＣＩＰヘッダを生成する処理と、Ｎ個のソースパケットと１つのＣＩＰヘッダから１つのアイソクロナスパケットを生成する処理と、各アイソクロナスパケットをアイソクロナスサイクル（ｉｓｏｃｈｒｏｎｏｕｓ  ｃｙｃｌｅ：１２５μ秒）ごとに送信する処理とを行う。
【００５１】
特殊な速度で再生を行う場合、再生部９０２はＰＥＳ／ＴＳ変換部９０３にＰＥＳパケットを供給しないようにし、ＰＥＳ／ＴＳ変換部９０３もＤＩＦ部９０４にＴＳパケットを供給しないようにするので、ＤＩＦ部９０４は１つのＣＩＰヘッダを含むが、Ｎ個のソースパケットを含まないアイソクロナスパケットを生成する処理を行う。第２の実施の形態では、１つのＣＩＰヘッダを含むが、Ｎ個のソースパケットを含まないアイソクロナスパケットを「ヌルパケット（ｎｕｌｌ  ｐａｃｋｅｔ）」と呼ぶ。
【００５２】
例えば、１．０倍の速度（通常の速度）で正方向に再生している場合、ＤＩＦ部９０４は、ＰＢフィールドに０（動画モードが再生モードであることを表す値）を格納し、ＤＩＲフィールドに０（再生方向が正方向であることを表す値）を格納し、ＳＰＥＥＤ＿Ｉフィールドに０００１１６（１を表す値）を格納し、ＳＰＥＥＤ＿Ｄフィールドに０００１６（０を表す値）が格納したＣＩＰヘッダを生成する。そして、ＤＩＦ部９０４は、１つのＣＩＰヘッダとＮ個のソースパケットとを含むアイソクロナスパケットを生成し、生成したアイソクロナスパケットを送信する。
【００５３】
また例えば、９．５倍の速度（特別な速度）で逆方向に再生している場合、ＤＩＦ部９０４は、ＰＢフィールドに０（動画モードが再生モードであることを表す値）を格納し、ＤＩＲフィールドに１（再生方向が逆方向であることを表す値）を格納し、ＳＰＥＥＤ＿Ｉフィールドに０００９１６（１を表す値）を格納し、ＳＰＥＥＤ＿Ｄフィールドに５００１６（０を表す値）が格納したＣＩＰヘッダを生成する。そして、ＤＩＦ部９０４は、１つのＣＩＰヘッダＢを含むヌルパケットを生成し、生成したヌルパケットを送信する。
【００５４】
また、ＤＩＦ部９０４は、送信元装置から送信された１つのアイソクロナスパケットからＮ個（Ｎは１／８、１／４、１／２または１以上の整数である）のソースパケットと１つのＣＩＰヘッダを取り出す処理と、取り出したＣＩＰヘッダの第３クアドレッドをメッセージ生成部９０７に供給する処理と、取り出したソースパケットからＴＳパケットを取り出す処理とを行う。
【００５５】
送信元装置が特殊な速度で再生を行っている場合、送信元装置からはヌルパケットが送信される。この場合、ＤＩＦ部９０４は、受信したヌルパケットから１つのＣＩＰヘッダを取り出す処理と、取り出したＣＩＰヘッダの第３クアドレッドをメッセージ生成部９０７に供給する処理とを行う。
【００５６】
ＴＳ／ＰＥＳ変換部９０５は、ＤＩＦ部９０４から得られたＴＳパケットをＰＥＳパケットに変換する。
【００５７】
記録部９０６は、ＴＳ／ＰＥＳ変換部９０５から得られたＰＥＳパケットを記憶媒体９０１に記録する。
【００５８】
メッセージ生成部９０７は、ＤＩＦ部９０４から得られた第３クアドレットを解析して送信元装置の動作状態（再生中であるか否か、記録中であるか否か、一時停止中であるか否か、再生方向、再生速度など）を検出し、送信元装置の動作状態を表すメッセージ（以下、ステータスメッセージ）を生成する。
【００５９】
デコーダ部９０８は、再生部９０２またはＴＳ／ＰＥＳ変換部９０５から得られたＰＥＳパケットをデコードし、デコードしたＰＥＳパケットからデジタルビデオデータを生成する。
【００６０】
合成部９０９は、デコーダ部９０８から得られたデジタルビデオデータにメッセージ生成部９０７から得られたステータスメッセージを所定の位置に表示されるように合成する。ＤＩＦ部９０４がヌルパケットを受信した場合は、合成部９０９は、ブルーバック画像（またはヌルパケットを受信する前にデコードされた画像）にメッセージ生成部９０７から得られたステータスメッセージを所定の位置に表示されるように合成する。これにより、ユーザは、送信元装置の動作状態を知ることができるようになる。
【００６１】
ビデオ出力部９１０は、合成部９０９から得られたデジタルビデオデータをビデオ信号に変換し、そのビデオ信号を出力する。その結果、ビデオ出力部９１０から出力されたビデオ信号は、表示装置９２０に表示される。
【００６２】
ビデオ入力部９１１は、ビデオ装置９３０から出力されたビデオ信号をデジタルビデオデータに変換する。
【００６３】
エンコーダ部９１２は、ビデオ入力部９１１から得られたデジタルビデオデータをエンコードし、エンコードしたデジタルビデオデータからＰＥＳパケットを生成する。
【００６４】
このように、第２の実施の形態におけるＤＶ装置９０によれば、送信先装置に図６に示すＣＩＰヘッダを送信することができるので、特別なコマンドを使用することなく、ＤＶ装置９０の動作状態（再生中であるか否か、記録中であるか否か、一時停止中であるか否か、再生方向、再生速度など）を送信先装置に知らせることができる。
【００６５】
また、第２の実施の形態におけるＤＶ装置９０によれば、送信元装置から送信されたアイソクロナスパケット（ヌルパケットを含む）から図６に示すＣＩＰヘッダを検出できれば、特別なコマンドを使用することなく、送信元装置の動作状態（再生中であるか否か、記録中であるか否か、一時停止中であるか否か、再生方向、再生速度など）を知ることができ、送信元装置の動作状態をユーザに知らせることができる。特に、ヌルパケットを受信した場合は、ブルーバック画像（またはヌルパケットを受信する前にデコードされた画像）とともに、送信元装置の動作状態を表すメッセージを表示することができるので、送信元装置の動作状態をユーザに知らせることができる。
【００６６】
なお、本発明は、ＭＰＥＧ−２のＴＳパケットにエンコーダされたデジタルビデオデータを送信する場合に限らず、ＣＩＰヘッダのようなデータヘッダを使用してデジタルビデオデータを送信する装置および方法にも適用可能である。従って、本発明は、第１および第２の実施の形態に限定されるものではない。
【００６７】
（その他の実施の形態）
上述した実施の形態の機能を実現するべく各種のデバイスを動作させるように、該各種デバイスと接続された装置或いはシステム内のコンピュータに対し、前記実施の形態の機能を実現するためのソフトウェアのプログラムコードを供給し、そのシステム或いは装置のコンピュータ（ＣＰＵ或いはＭＰＵ）に格納されたプログラムに従って前記各種デバイスを動作させることによって実施したものも、本発明の範疇に含まれる。
【００６８】
また、この場合、前記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００６９】
さらに、前記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７０】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００７１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれることはいうまでもない。
【００７２】
なお、前記実施の形態において示した各部の形状および構造は、何れも本発明を実施するにあたっての具体化のほんの一例を示したものに過ぎず、これらによって本発明の技術的範囲が限定的に解釈されてはならないものである。すなわち、本発明はその精神、またはその主要な特徴から逸脱することなく、様々な形で実施することができる。例えば、前記実施の形態では、再生モードと記録モードを有するＤＶ装置を例にして説明したが、再生のみ、或いは、記録のみを行う装置であっても良い。
【００７３】
以下、本発明の実施態様の例を列挙する。
（実施態様１）記憶媒体からデジタルビデオデータを再生するとともに、前記デジタルビデオデータを送信する再生装置であって、
当該再生装置の動作状態に関する情報と前記デジタルビデオデータとを含むパケットを生成し、生成したパケットをアイソクロナス転送する通信手段を有することを特徴とする再生装置。
【００７４】
（実施態様２）前記動作状態に関する情報には、再生中であるか否かの情報を含むことを特徴とする実施態様１に記載の再生装置。
【００７５】
（実施態様３）前記動作状態に関する情報には、再生方向の情報を含むことを特徴とする実施態様１又は２に記載の再生装置。
【００７６】
（実施態様４）前記動作状態に関する情報には、再生速度の情報を含むことを特徴とする実施態様１〜３のいずれか１項に記載の再生装置。
【００７７】
（実施態様５）記憶媒体にデジタルビデオデータを記録するとともに、前記デジタルビデオデータを送信する記録装置であって、
当該記録装置の動作状態に関する情報と前記デジタルビデオデータとを含むパケットを生成し、生成したパケットをアイソクロナス転送する通信手段を有することを特徴とする記録装置。
【００７８】
（実施態様６）前記動作状態に関する情報には、記録中であるか否かの情報を含むことを特徴とする実施態様５に記載の記録装置。
【００７９】
（実施態様７）記憶媒体からデジタルビデオデータを再生するとともに、前記デジタルビデオデータを送信する再生装置の制御方法であって、
前記再生装置の動作状態に関する情報と前記デジタルビデオデータとを含むパケットを生成し、生成したパケットをアイソクロナス転送するステップを有することを特徴とする再生装置の制御方法。
【００８０】
（実施態様８）記憶媒体にデジタルビデオデータを記録するとともに、前記デジタルビデオデータを送信する記録装置の制御方法であって、
前記記録装置の動作状態に関する情報と前記デジタルビデオデータとを含むパケットを生成し、生成したパケットをアイソクロナス転送するステップを有することを特徴とする記録装置の制御方法。
【００８１】
（実施態様９）記憶媒体からデジタルビデオデータを再生するとともに、前記デジタルビデオデータを送信する再生装置を制御するプログラムであって、
前記再生装置の動作状態に関する情報と前記デジタルビデオデータとを含むパケットを生成し、生成したパケットをアイソクロナス転送する処理を実行させることを特徴とするプログラム。
【００８２】
（実施態様１０）記憶媒体にデジタルビデオデータを記録するとともに、前記デジタルビデオデータを送信する記録装置を制御するプログラムであって、
前記記録装置の動作状態に関する情報と前記デジタルビデオデータとを含むパケットを生成し、生成したパケットをアイソクロナス転送する処理を実行させることを特徴とするプログラム。
【００８３】
（実施態様１１）実施態様９又は１０に記載のプログラムを格納したことを特徴とするコンピュータ読み取り可能な記憶媒体。
【００８４】
【発明の効果】
本発明によれば、特別なコマンドを使用することなく、送信元装置の動作状態を送信先装置に知らせることができる。
【００８５】
また、本発明によれば、特別なコマンドを使用することなく、送信元装置の動作状態をユーザに知らせることができる。
【図面の簡単な説明】
【図１】第１の実施の形態におけるＣＩＰヘッダの構成を示す図である。
【図２】ＭＯＤＥフィールドに格納される値の一例を示す図である。
【図３】ＤＶ装置１０の動作モードがＲＥＣＯＲＤ  ＭＯＤＥであるときにＳＴＡＴＥフィールドに格納される値の一例を示す図である。
【図４】ＤＶ装置１０の動作モードがＰＬＡＹ  ＭＯＤＥであるときにＳＴＡＴＥフィールドに格納される値の一例を示す図である。
【図５】第１の実施の形態におけるデジタルビデオ装置の構成要素を示す図である。
【図６】第２の実施の形態におけるＣＩＰヘッダの構成を示す図である。
【図７】ＰＢフィールドに格納される値の一例を示す図である。
【図８】ＤＩＲフィールドに格納される値の一例を示す図である。
【図９】第２の実施の形態におけるデジタルビデオ装置の構成要素を示す図である。
【符号の説明】
１０、９０      デジタルビデオ装置
１０１、９０１  記憶媒体
１０２、９０２  再生部
１０３、９０３  ＰＥＳ／ＴＳ変換部
１０４、９０４  ＤＩＦ部
１０５、９０５  ＴＳ／ＰＥＳ変換部
１０６、９０６  記録部
１０７、９０７  メッセージ生成部
１０８、９０８  デコーダ部
１０９、９０９  合成部
１１０、９１０  ビデオ出力部
１１１、９１１  ビデオ入力部
１１２、９１２  エンコーダ部
１２０、９２０  表示装置
１３０、９３０  ビデオ装置
【図１】
2004179688.tif 000003
【図２】
2004179688.tif 000004
【図３】
2004179688.tif 000005
【図４】
2004179688.tif 000006
【図５】
2004179688.tif 000007
【図６】
2004179688.tif 000008
【図７】
2004179688.tif 000009
【図８】
2004179688.tif 000010
【図９】
2004179688.tif 000011